(57)【特許請求の範囲】
【請求項１】
ノズルタッチ部を除いた射出成形機の射出シリンダ外周面に対して所要幅の空隙を有し、かつ少なくとも下部が開口した状態で覆うように取り付けられる金属カバーと、
該金属カバーの外面全体に対して開口を含んで巻き付けられる長さで、断熱材が内包される保温カバーと、
該保温カバーの少なくとも巻き付け開始端部における金属カバーの相対側に取り付けられ、金属カバーの外面に磁気吸着して上記保温カバーの巻き付け開始端部を固定可能にする磁石と、
上記保温カバーにおける巻き付け開始端部外面及び巻き付け終端部内面にそれぞれ取り付けられて着脱可能にする面ファスナーと、
を備え、射出シリンダにおける各部位の温度を上記金属カバーによる空隙及び巻きつけられた保温カバーにより所定温度に保持可能にした射出成形機における射出シリンダの保温ジャケット。
【請求項２】
請求項１において、保温カバーには、複数の開口部を形成すると共にそれぞれの開口部には、保温カバーと同一材質からなる開閉フラップを取付け、各開口部を介して流入する空気により射出シリンダを冷却可能にした射出成形機における射出シリンダの保温ジャケット。
【請求項３】
請求項１において、保温カバーの少なくとも表面側は、断熱繊維布とすると共に該断熱繊維布には、撥水剤がコーティングされた射出成形機における射出シリンダの保温ジャケット。
【発明の詳細な説明】
【技術分野】
【０００１】
本発明は、射出成形機における射出シリンダの保温ジャケットに関する。
【背景技術】
【０００２】
射出成形機において金型内に射出される合成樹脂は、電気ヒータにより加熱された射出シリンダ内に供給された樹脂ペレットを、加熱しながら内部に設けられた射出スクリューにより加圧混練することにより所定の溶融状態に形成している。その際、射出シリンダは、電気ヒータにより２００℃〜３００℃近くの温度に加熱されるが、放熱により温度低下するため、所定の温度に維持するには、射出シリンダに設けられた温度センサからの検知信号に基づいて電気ヒータに電流を印加して所定温度に保つように制御している。
【０００３】
このため、射出シリンダを所定の温度に保つには、電気ヒータによる消費電力が増大し、成形コストが高コスト化する問題を有している。特に、冬季においては、射出シリンダの雰囲気温度が低いため、放熱量が多くなって電気ヒータの消費電力が増大している。
【０００４】
射出シリンダを加熱するための消費電力を低減するため、従来は、射出シリンダの外周面に、グラスウール等により形成された断熱カバーを直接、巻き付けて放熱量を低減する試みが行われていた。しかし、上記のように射出シリンダに直接、断熱カバーを巻き付けた場合には、電気ヒータへの通電を中断した場合であっても、射出シリンダの中間部位においては、温度が上昇し続ける問題を有している。
【０００５】
これは、射出シリンダ内に設けられた射出スクリューの回転に伴って樹脂ペレットを加圧混練する際に、射出スクリューによる樹脂ペレットのせん断に伴ってせん断熱が発生し、このせん断熱により温度上昇するとみられる。このため、射出シリンダの中間部位においては、所定温度に保つ温度制御が困難になり、例えばポリカーボネイト樹脂やポリアミド樹脂等にあっては、射出シリンダが所定の温度範囲以上に上昇すると、溶融した合成樹脂が変質したり、焼けて変色する問題を有している。この結果、成形された成形品を不良品化する要因になっている。
【０００６】
この問題を解決するには、射出シリンダの温度が所定の温度範囲以上に上昇した際には、空気を吹き付けて所定の温度範囲になるように冷却して温度制御する必要があるが、上記したように射出シリンダに断熱カバーを直接巻き付けた場合にあっては、空冷による冷却効果も悪く、射出シリンダを所定の温度に保つことが事実上、できなかった。
【０００７】
また、特に外気温が高い夏季においては、射出シリンダを、特に保温する必要性がなかった。しかし、射出シリンダの外周面に断熱カバーを直接巻き付ける従来の保温方法にあっては、高温化した射出シリンダから断熱カバーを取外すには、射出シリンダの温度が低下するまで待って行う必要があると共に取外し作業に手間がかかって作業性が悪かった。なお、射出シリンダに対して断熱カバーを取り付ける際にも、同様な問題点を有している。
【特許文献１】特開平−号公報
【発明の開示】
【発明が解決しようとする課題】
【０００８】
解決しようとする問題点は、射出シリンダの外周面に断熱カバーを巻き付けて保温する場合には、射出シリンダが所定の温度になるように温度制御することが困難な点にある。射出シリンダに対して断熱カバーを巻き付けたり、外したりするには、射出シリンダの温度で低下するまで、待つ必要があり、着脱作業性が悪い点にある。
【課題を解決するための手段】
【０００９】
本発明の請求項１は、ノズルタッチ部を除いた射出成形機の射出シリンダ外周面に対して所要幅の空隙を有し、かつ少なくとも下部が開口した状態で覆うように取り付けられる金属カバーと、開口を含んで巻き付けられる長さで、断熱材が内包される保温カバーと、該保温カバーの少なくとも巻き付け開始端部における金属カバーの相対側に取り付けられ、金属カバーの外面に磁気吸着して上記保温カバーの巻き付け開始端部を固定可能にする磁石と、上記保温カバーにおける巻き付け開始端部外面及び巻き付け終端部内面にそれぞれ取り付けられて着脱可能にする面ファスナーとを備え、射出シリンダにおける各部位の温度を上記金属カバーによる空隙及び巻きつけられた保温カバーにより所定温度に保持可能にしたことを特徴とする。
【発明の効果】
【００１１】
本発明は、射出シリンダの外周面に断熱カバーを巻き付けて保温する場合に比べて射出シリンダを高い精度で温度制御することができ、高品質の成形品を成形することができる。また、射出シリンダに対して保温ジャケットを簡易に着脱することができ、成形作業を効率化することができる。
【発明を実施するための最良の形態】
【００１２】
本発明は、射出シリンダにおける各部位の温度を上記金属カバーによる空隙及び巻きつけられた保温カバーにより所定温度に保持可能にしたことを最良の形態とする。
【実施例】
【００１３】
以下に実施形態を示す図に従って本発明を説明する。
図１に示すように、射出成形機の射出シリンダ１は、該射出成形機の本体フレーム（図示せず）に対して射出成形機の中心軸線方向へ所定のストロークが往復移動するように支持され、その先端部には、射出成形機の固定プラテン及び固定側取付け盤（図示せず）に形成された孔内に挿入された固定金型（図示せず）の湯道に当接するノズルタッチ部１ａを有している。また、射出ノズル１の外周面には、複数個の電気ヒータ（図示せず）が取付けられ、該射出シリンダ１を、成形する合成樹脂の種類に応じた最適の加熱溶融可能な温度（約２００℃〜３００℃）に加熱させる。
【００１４】
また、ノズルタッチ部１ａを除いた射出シリンダ１の周囲には、金属材料からなり、軸線直交方向断面が開口した向きコの字形に形成された保温ジャケットの一部を構成する金属カバーとしてのシリンダカバー３が、射出シリンダ１の下部外周面を除き、かつ外周面に対して所定幅の間隙を設けて取付けられている。
【００１５】
図２乃至図４に示すように、上記シリンダカバー３の外面には、保温ジャケットの一部を構成する保温カバー５が巻き付けられている。該保温カバー５は、例えばガラス繊維、炭化ケイ素繊維等により形成された断熱繊維布内にグラスウール等の断熱材を封入したもので、該保温ジャケット内には、シリンダカバー３の上面及び両側面に位置する箇所に複数個の磁石７が長手方向に対して所定の間隔をおいて取付けられる。また、保温カバー５の長手直交方向の端縁には、耐熱材により形成された面ファスナー９ａ・９ｂが、長手方向に対して適宜間隔をおいて取付けられている。更に、ノズルタッチ部１ａ側に位置する保温ジャケット１の端縁には、耐熱繊維で形成された紐１１が取付けられている。
【００１６】
尚、保温カバー５の少なくとも表面側の断熱繊維布の表面には、フッ化樹脂等がコーティングされ、汚れを付着しにくくする防汚処理されている。
【００１７】
そして図４に示すように、上記保温カバー５は、シリンダカバー3の上面及び両側面に対して磁石7を磁着させながら長手方向全体の周囲を覆うように巻き付けながら覆った後、長手直交方向の各端部を面ファスナー９ａ・９ｂにより固定すると共にノズルタッチ部１ａ側の長手方向端部を紐１１により絞ってシリンダカバー３に固定させる。
【００１８】
以下において、射出シリンダ１の外周面に断熱カバーを直接巻き付けた保温方法と本例に係る保温カバー５を使用した保温方法による比較例を示す。
射出シリンダの直径：９６ｍｍ
断熱カバー及び保温カバーの厚さ：２５ｍｍ
射出シリンダ外周面とシリンダカバーの間隔：１８．５ｍｍ
射出シリンダのノズルチップ：ＨＮ、射出シリンダの先部：Ｈ１
射出シリンダの中間部：Ｈ２、射出シリンダの基部：Ｈ３
射出シリンダ１の外周面に断熱カバーを直接巻き付けた保温方法による各部位における時間に対する温度変化を表1に示す。
【００１９】
本例に係る保温カバー５を使用した保温方法による各部位における時間に対する温度変化を表2に示す。
【００２０】
表1から明らかなように、部位Ｈ２においては、射出シリンダ温度を２５０℃に設定したにもかかわらず、時間の経過に伴って徐々に増大し、最大で２０．８℃上昇した。この現象は、上記で説明したように、部位Ｈ２においては、部位Ｈ３で加熱された樹脂ペレットが射出スクリューの回転に伴ってせん断されることによりせん断熱が発生し、電気ヒータによる加熱温度以上になることによる。しかし、該現象は、樹脂ペレットを過度に加熱することになり、合成樹脂品質を悪くする原因になっている。なお、他の部位ＨＮ、Ｈ１、Ｈ３においては、２５０℃、２５５℃、２４０℃にそれぞれ設定したが、温度変化は、余り現れなかった。
【００２１】
一方、表２から明らかなように、部位Ｈ２においては、射出シリンダ温度を２９０℃に設定したが、±約１℃の範囲で温度変化したのみで、その際の電気ヒータに対する通電時間は、１分当たり、最大で５．４秒であった。このように本例にあっては、射出シリンダ１、特に部位Ｈ２における温度を高い精度で制御することができた。なお、他の部位Ｈ１、Ｈ３においては、３００℃、２８０℃にそれぞれ設定したが、温度変化は、余り現れなかった。
【００２２】
本実施例は、射出シリンダ１に対して簡易に着脱でき、作業性に優れている。また、射出シリンダ１に対して空隙を設けて装着されることにより射出シリンダ１の温度を容易に制御することができる。
【００２３】
上記説明は、成形作業時に射出シリンダ１の温度を成形樹脂の種類に応じた所定の設定温度に保温する場合に付いて説明したが、成形作業終了後に次の成形作業に段取り換えする際には、射出シリンダ１の温度を短時間に低下させる必要がある。これを可能にするには、射出シリンダ１に空気を直接当てて冷却するため、面ファスナー９ａ・９ｂによる保温カバー５の固定状態を解除してシリンダカバー３の被覆状態を一部または全部、解除することにより空気を当てて冷却することができる。
【００２４】
また、他の例としては、図５に示すように保温カバー５におけるシリンダカバー３の側面に対応する箇所に複数の開口部５ａを形成すると共に該開口部５ａの端縁に、保温カバーと同一の材質からなる開閉フラップ１３を縫着し、射出シリンダ１を保温する場合には、開閉フラップ１３により開口部５ａを閉鎖する一方、段取り換えする際には、開閉フラップ１３により開口部５ａを開放させてシリンダカバー３に対して外気を直接接触させるようにすればよい。
【図面の簡単な説明】
【００２６】
【図１】本発明が適用される射出成形機の射出シリンダ周りを示す略体斜視図である。
【図２】射出シリンダに保温ジャケットを取付けた状態を示す斜視図である。
【図３】保温ジャケットの展開説明図である。
【図４】図２におけるＡ−Ａ線縦断面図である。
【図５】保温ジャケットの変更例を示す説明図である。
【符号の説明】
【００２７】
１  射出シリンダ
１ａ  ノズルタッチ部
３  シリンダカバー
５  保温カバー
５ａ  開口部
７  磁石
９ａ・９ｂ  ベルクロファスナー
１１  紐
１３  開閉フラップ
【図１】
0005072038.tif 000002
【図２】
0005072038.tif 000003
【図３】
0005072038.tif 000004
【図４】
0005072038.tif 000005
【図５】
0005072038.tif 000006